(57)【要約】      （修正有）【課題】複数の発光ダイオードから放出される光の色座標分布を目標色座標分布に変換する色座標変換層を含むライトユニット及びこれを備える表示装置を提供する。【解決手段】導光板と、前記導光板の一側に配置されて光を放出する複数の発光ダイオードを含む発光モジュールと、前記導光板の上に配置されて面光源の色座標分布を目標色座標分布に移動させる色座標変換シートとを含むライトユニット。【選択図】図１
2010192446.tif 000002
【特許請求の範囲】
【請求項１】
導光板と、
前記導光板の一側に配置されて光を放出する複数の発光ダイオードを含む発光モジュールと、
前記導光板の上に配置され、前記発光モジュールから放出される光の色座標分布を目標色座標分布に変換する色座標変換シートと、
を含むライトユニット。
【請求項２】
前記色座標変換シートは少なくとも１つの色の蛍光物質を有する透光性シートを含む請求項１に記載のライトユニット。
【請求項３】
前記色座標変換シートは赤色、緑色、青色、及び黄色の蛍光物質中少なくとも１つを含む請求項１に記載のライトユニット。
【請求項４】
前記色座標変換シートは拡散シートを含む請求項１に記載のライトユニット。
【請求項５】
前記色座標変換シートはプリズムシートを含む請求項１に記載のライトユニット。
【請求項６】
前記色座標変換シートの上及び下の中のいずれかに配置される光学シートを含み、
前記光学シートは拡散シート及びプリズムシート中の少なくとも１つを含む、
請求項１に記載のライトユニット。
【請求項７】
前記導光板の下に配置される反射プレートを含む請求項１に記載のライトユニット。
【請求項８】
前記発光モジュールは前記導光板の側面中少なくとも２つの側面に配置される請求項１に記載のライトユニット。
【請求項９】
前記複数の発光ダイオード中少なくとも２つは、同一色のスペクトルに含まれる目標色座標分布を有する請求項１に記載のライトユニット。
【請求項１０】
前記複数の発光ダイオード中少なくとも２つは、マルチランクのＬＥＤチップからなる請求項１に記載のライトユニット。
【請求項１１】
前記ＬＥＤチップは青色ＬＥＤチップ、緑色ＬＥＤチップ、黄色ＬＥＤチップ、琥珀色ＬＥＤチップ、及び青緑色ＬＥＤチップ中少なくとも１つを含む請求項１０に記載のライトユニット。
【請求項１２】
前記色座標変換シートは前記発光ダイオードから放出される第１光の一部を励起させて第２光として放出し、
前記第１光と前記第２光の混色は第３光の色座標範囲を形成する、
請求項１に記載のライトユニット。
【請求項１３】
前記第３光の色座標範囲は、
ＣＩＥｘのｘは０.２９３〜０.３３３の範囲であり、
ＣＩＥｙのｙは０.３０９〜０.３４９の範囲である、
請求項１２に記載のライトユニット。
【請求項１４】
前記導光板から入射される光は前記第３光の色座標範囲を外れる色座標分布を有する請求項１３に記載のライトユニット。
【請求項１５】
前記色座標変換シートは前記導光板と同一大きさに形成される請求項１に記載のライトユニット。
【請求項１６】
ボトムカバーと、
前記ボトムカバーの上に配置される複数の発光ダイオードを含む発光モジュールと、
前記発光モジュールの上に配置される光学シートと、
前記発光モジュールの上に配置され、前記発光モジュールから放出される光の色座標分布を目標色座標分布に変換させるための光を放出する色座標変換層と、
を含むライトユニット。
【請求項１７】
前記光学シートは前記色座標変換層の下に配置される拡散シートと、前記色座標変換層の上に配置されるプリズムシートを含む請求項１６に記載のライトユニット。
【請求項１８】
前記光学シートはプリズムシート及び拡散シート中少なくとも１つを含み、
前記色座標変換層は前記光学シートの上面または下面に形成される、
請求項１６に記載のライトユニット。
【請求項１９】
前記色座標変換層は、全領域に分布される蛍光物質を有する透光性シートからなる請求項１６に記載のライトユニット。
【請求項２０】
前記色座標変換層は赤色、緑色、青色、及び黄色の蛍光物質中少なくとも１つを含む請求項１６に記載のライトユニット。
【請求項２１】
前記発光モジュールから放出される光の色座標分布は、前記色座標変換層によってＣＩＥｘ＝０.３１３及びＣＩＥｙ＝０.３２９の色座標方向に移動される請求項１６に記載のライトユニット。
【請求項２２】
ボトムカバーと、
前記ボトムカバーの一側に配置される複数の発光ダイオードを含む発光モジュールと、
前記発光モジュールの一側に配置される導光板と、
前記導光板の上に配置される光学シートと、
前記光学シートの上に配置される表示パネルと、
前記導光板の上に配置され、前記導光板から放出される光の色座標分布を目標色座標分布に変換させる色座標変換層と、
を含む表示装置。
【請求項２３】
前記色座標変換層は、前記導光板から放出される光の色座標分布をＣＩＥｘ＝０.３１３及びＣＩＥｙ＝０.３２９の色座標方向に移動させる請求項２２に記載の表示装置。
【請求項２４】
前記色座標変換層は、前記光学シートの上または下に配置される透光性シートを含む請求項２３に記載の表示装置。
【請求項２５】
前記光学シート及び前記色座標変換層は、拡散シートまたはプリズムシートからなる請求項２３に記載の表示装置。
【発明の詳細な説明】
【技術分野】
【０００１】
本発明は、ライトユニット及びこれを備える表示装置に関するものである。
【背景技術】
【０００２】
表示装置にはブラウン管（Cathode Ray Tube）、液晶表示装置（Liquid Crystal Display）、プラズマ表示素子（Plasma Display Panel）及びＥＬ表示素子（Electroluminescence Display）等があり、中でも液晶表示装置への研究が盛んに行われている。
【０００３】
ほとんどの液晶表示装置は外部よりの光量の調節によって画像を表わす受光性装置であるため、ＬＣＤパネルに光を照射するための別途の光源、即ちバックライトユニットが必要である。
【発明の概要】
【発明が解決しようとする課題】
【０００４】
本発明は、複数の発光ダイオードから放出される光の色座標分布を目標色座標分布に変換する色座標変換層を含むライトユニット及びこれを備える表示装置を提供する。
【０００５】
本発明は、複数の発光ダイオードから放出される第１光の色座標分布を目標色座標分布に移動させる第２光を放出する層またはシートを含むライトユニット及びこれを備える表示装置を提供する。
【課題を解決するための手段】
【０００６】
本発明のライトユニットは導光板と、前記導光板の一側に配置されて光を放出する複数の発光ダイオードを含む発光モジュールと、前記導光板の上に配置されて前記発光モジュールから放出される光の色座標分布を目標色座標分布に変換する色座標変換シートとを含む。
【０００７】
本発明のライトユニットはボトムカバーと、前記ボトムカバーの上に配置される複数の発光ダイオードを含む発光モジュールと、前記発光モジュールの上に配置される光学シートと、前記発光モジュールの上に配置されて前記発光モジュールから放出される光の色座標分布を目標色座標分布に変換させるための光を放出する色座標変換層とを含む。
【０００８】
本発明の表示装置はボトムカバーと、前記ボトムカバーの一側に配置される複数の発光ダイオードを含む発光モジュールと、前記発光モジュールの一側に配置される導光板と、前記導光板の上に配置される光学シートと、前記光学シートの上に配置される表示パネルと、前記導光板の上に配置されて前記導光板から放出される光の色座標分布を目標色座標分布に変換させる色座標変換層とを含む。
【発明の効果】
【０００９】
本発明は、発光ダイオードの収率を高めることができる。
【００１０】
本発明は、ライトユニットにおいて色座標分布を調節できる効果がある。
【００１１】
本発明は、発光ダイオードのＬＥＤチップのランクの選択幅を広めることができる。
【図面の簡単な説明】
【００１２】
【図１】第１実施例に係る表示装置を示す斜視図。
【図２】実施例に係る色座標変換シートによる色座標分布の移動例を示すＣＩＥ色座標。
【図３】第２実施例に係る表示装置を示す斜視図。
【図４】第３実施例に係る表示装置を示す斜視図。
【図５】第４実施例に係る表示装置を示す斜視図。
【図６】第５実施例に係る表示装置を示す斜視図。
【図７】第６実施例に係る表示装置を示す斜視図。
【図８】第７実施例に係る表示装置を示す斜視図。
【図９】図８の変形例を示す図面。
【図１０】第９実施例に係る表示装置を示す斜視図。
【図１１】実施例に係る色座標変換シートの製造過程を示す図面。
【発明を実施するための形態】
【００１３】
各実施例の説明において、各層（シート）、領域、パターン又は構造物が基板、各層（膜）、領域、パッド又はパターンの“上”又は“下”に形成されると記載される場合、“上”と“下”は直接又は他の層を介在して形成されることを皆含む。また、各層の“上”又は“下”の基準は図面を基準として説明する。なお、各層の厚さは例示に過ぎず、図面の厚さを限定するものではない。各実施例の技術的特徴は其々の実施例に限定されるものではなく、他の実施例に選択的に適用することが可能である。
【００１４】
図１は第１実施例に係る表示装置を示す斜視図である。図１に示すように、表示装置１００はボトムカバー１０５、発光モジュール１１０、反射プレート１２０、導光板１３０、光学シート１４０、色座標変換シート１４５、及び表示パネル１５０を含む。ここで、前記ボトムカバー１０５、発光モジュール１１０、反射プレート１２０、導光板１３０、光学シート１４０、色座標変換シート１４５はライトユニットとしての機能をする。
【００１５】
前記ボトムカバー１０５は収納溝を含むことができ、またその周壁は傾斜するようにすることができるが、これに限定されるものではない。
【００１６】
前記発光モジュール１１０は基板１１５及び複数の発光ダイオード１１２を含む。前記発光モジュール１１０は前記ボトムカバー１０５の収納溝に配置することができる。前記基板１１５はリジッド基板、フレキシブル基板、ＭＣＰＣＢ（Metal Core PCB）、セラミック基板などを含むことができ、これに限定されるものではない。前記発光モジュール１１０はモールドフレームまたはシャシ（Chassis）等のカバーに搭載することができる。
【００１７】
前記複数の発光ダイオード１１２は前記基板１１５の一側面、例えば前記基板１１５の上面または前記導光板１３０の側面と対向するように配置することができる。また、前記複数の発光ダイオード１１２は前記基板１１５の下面、または前記基板１１５を垂直に配置した場合は前記基板１１５の前面に配置することができる。即ち、前記発光ダイオード１１２は前記基板１１５にエッジ型または直下型に搭載することができる。
【００１８】
前記複数の発光ダイオード１１２は均等間隔または異なる間隔で配列することができる。前記各発光ダイオード１１２は、少なくとも１つのＬＥＤチップが樹脂層によりモールディングされたパッケージングの形態で用いることができる。前記各発光ダイオード１１２は青色ＬＥＤチップ、黄色ＬＥＤチップ、緑色ＬＥＤチップ、赤色ＬＥＤチップ、紫外線（UV）ＬＥＤチップ、琥珀色ＬＥＤチップ、青緑色ＬＥＤチップ、または前記のＬＥＤチップ中のいずれか１つと蛍光体の組合せからなることができる。このようなＬＥＤチップと前記蛍光体の種類は上記のものに限定されるものではない。
【００１９】
前記複数の発光ダイオード１１２は同一色のスペクトルを有する光、または一部グループの発光ダイオードは異なる色のスペクトルを有する光を発光することができる。前記発光ダイオード１１２は、例えば青色ＬＥＤチップあるいは三色（RED、GREEN、BLUE）ＬＥＤチップを用いることができる。前記発光モジュール１１０はマルチ色度ランク（以下、「マルチランク」と略称する）の発光ダイオード１１２を含むことができる。
【００２０】
また、前記それぞれの発光ダイオード１１２は同一または異なるランクのＬＥＤチップを含むことができる。また、少なくとも２つの発光ダイオード１１２は異なるランクをもつＬＥＤチップを配置することができる。ここで、前記複数の発光ダイオード１１２は目標色座標分布を外れる第１光の色座標分布で放出することになる。
【００２１】
前記複数の発光ダイオード１１２はマルチランクからなることができる。ここで、前記ランクは、光特性を色座標、主波長（main wavelength）またはピーク波長などの基準により細かく分類される領域である。また、前記単一ランクは、各発光ダイオード１１２が青色ＬＥＤチップを含む場合、例えば同一波長のランクを用いる場合である。例えば、４５１〜４５５nmの青色ＬＥＤチップを１nmにソーティングすると４５１nm、４５２nm、４５３nm、４５４nm、４５５nmの波長を持つ五つのランクに区分されるが、前記五つのランク中のいずれか１つの波長、即ち同一波長を持つランクのＬＥＤチップでＬＥＤを具現したものを単一ランクの発光ダイオードという。この場合、他のランクのＬＥＤチップは使用することができない。
【００２２】
前記複数の発光ダイオード１１２から放出される第１光は目標色座標分布を外れる色座標を持つようになる。本発明は、目標色度ランクを外れるＬＥＤチップを使用でき、ＬＥＤチップと発光ダイオードの収率を高めることができる。即ち、従来では、４５３nm波長ランクの青色ＬＥＤチップを用いた場合には、４５３nm波長の青色ＬＥＤチップとこれを含む発光ダイオードしか使用できず、他は使用できない問題があった。本発明は、４５３nm以外の隣接する波長のランクも利用できる長所がある。
【００２３】
前記発光モジュール１１０の一側には導光板１３０が配置される。前記導光板１３０はポリカーボネート（Polycarbonate）またはＰＭＭＡ（polymethyl methacrylate）からなることができ、下部に反射パターンを形成することができるが、このような材質に限定されない。
【００２４】
前記発光ダイオード１１２から放出される第１光は導光板１３０に入射され、前記導光板１３０は前記発光ダイオード１１２から入射される第１光を全体領域にガイドして面光源として照射する。前記導光板１３０の下部には反射プレート１２０が配置され、上部には光学シート１４０及び色座標変換シート１４５が配置される。
【００２５】
前記反射プレート１２０は前記導光板１３０から漏れる光を表示パネル１５０の方向に反射し、前記光学シート１４０は前記導光板１３０から入射される光の輝度分布が均一になるように前記表示パネル１５０に照射する。
【００２６】
ここで、前記光学シート１４０は拡散シート、水平及び垂直プリズムシート、及び輝度強化シート等の中の少なくとも１つを含むことができ、前記拡散シートは入射される光を拡散させ、前記水平及び垂直プリズムシートは入射される光を表示領域に集光させ、前記輝度強化シートは損失光を再使用して輝度を高める。このような光学シート１４０は入射される光を拡散、屈折、反射、散乱させるシートの一例であり、前記色座標変換シート１４５を含むことができる。
【００２７】
前記色座標変換シート１４５はプラスチックまたはアクリルのような透明なシートに蛍光物質をコーティング、または内部に混合する形態である。前記蛍光物質は黄色、赤色、青色、緑色など多様な色中少なくとも１つを含むことができる。
【００２８】
前記色座標変換シート１４５は前記光学シート１４０の上または/及び下に配置することができるが、これに限定されるものではない。前記色座標変換シート１４５は１枚またはそれ以上から構成することができる。
【００２９】
前記色座標変換シート１４５は入射される第１光の一部を第２光に変換し、前記第１光と前記第２光は混色されて目標色座標分布に変換される。ここで、本発明は、いずれか１つのＬＥＤチップまたは/及びいずれか１つの発光ダイオードを組合せた光の色座標分布が目標色座標分布を外れる場合、色座標変換シート１４５によって非正常な色座標分布を目標色座標分布に移動させることができる。
【００３０】
図１及び図２に示すように、複数の発光ダイオード１１２から放出される第１光の特性（光度及び色度等）を測定すると、ＣＩＥｘ及びＣＩＥｙの座標上でＡ１領域（Ｃ１、Ｄ１、Ｂ１等）内に分布する。これはマルチランクの発光ダイオード１１２は少なくとも１色のＬＥＤチップをマルチランクとして構成することで、ＣＩＥ色座標上で目標領域Ａ２を外れる領域Ａ１に分布することができる。ここで、前記Ａ１領域は標準領域で、前記Ａ２領域はＡ１領域の目標領域になることができる。
【００３１】
例えば、前記色座標変換シート１４５が黄色系蛍光物質を含む場合、前記第１光の色座標分布Ｃ１は前記黄色系蛍光物質によりＡ２領域（Ａ２）内の色座標Ｃ２に移動される。
【００３２】
前記色座標変換シート１４５が赤色系蛍光シートである場合、前記第１光の色座標分布Ｄ１は前記赤色系蛍光シートによりＡ２領域の色座標Ｄ２に移動される。
【００３３】
前記色座標変換シート１４５が緑色系蛍光シートである場合、第１光の色座標分布Ｂ１は前記緑色系蛍光シートによりＡ２領域の色座標Ｂ２に移動される。
【００３４】
前記色座標変換シート１４５はＡ２領域に存在する第１光の色座標分布を目標領域Ａ２に移動させることができる。なお、図２に提示される色座標値は一例であり、このような座標値は変更することができる。
【００３５】
また、前記色座標変換シート１４５は図２のＡ１領域に配置されるＢ１、C１、またはＤ１の色座標を目標領域Ａ２の中心色座標、例えば、ＣＩＥｘ＝０.３１３、ＣＩＥｙ＝０.３２９に近接するように移動させることができる。
【００３６】
また、前記色座標変換シート１４５は発光ダイオード１１２から放出される光の色度ランクを、少なくとも一種類の蛍光物質を用いて目標色度ランクに変換する機能を行う。
【００３７】
図１に示すように、前記色座標変換シート１４５または光学シート１４０の上には表示パネル１５０を配置することができる。前記表示パネル１５０は、例えば、ＬＣＤパネルからなり、対向する透明材質の第１及び第２基板、そして第１及び第２基板の間に介在する液晶層を含む。前記表示パネル１５０の少なくとも一面には偏光板を付着することができ、このような偏光板の付着構造に限定されない。
【００３８】
前記表示パネル１５０は前記光学シート１４０及び前記色座標変換シート１４５を透過した光によって情報を表わす。このような表示装置１００は携帯端末機、ノートパソコン及びラップトップコンピュータのモニター、テレビ等に適用することができる。
【００３９】
図３は第２実施例に係る表示装置を示す斜視図である。第２実施例の説明において、前記第１実施例と同様な部分には同一符号を付け、詳しい説明は省略する。
【００４０】
図３に示すように、表示装置１００Ａは発光モジュール１１０、反射プレート１２０、導光板１３０、色座標変換物質を含む拡散シート１４１、プリズムシート１４２、及び表示パネル１５０を含む。前記拡散シート１４１及び前記プリズムシート１４２は光学シートからなることができる。
【００４１】
前記拡散シート１４１は上面１４１Ａに色座標変換物質をコーティングすることができる。前記色座標変換物質は蛍光物質として黄色、赤色、青色、緑色等多様な色の蛍光物質中少なくとも１つを含むことができる。この場合、前記入射される第１光と前記色座標変換物質によって放出される第２光は、目標色座標を基準に相互補色関係を持つ。
【００４２】
前記拡散シート１４１に入射される第１光の色座標分布は、前記蛍光物質によって目標色座標分布に変換される。即ち、前記蛍光物質は前記入射される第１光の一部を励起させて異なる波長の第２光を発生させる。この時前記第１光と第２光が混色されて目標色座標分布に移動される。
【００４３】
実施例では、前記拡散シート１４１の上面１４１Ａに色座標変換物質をコーティングした例を挙げているが、前記拡散シート１４１の製造時にその内部に前記色座標変換物質を添加して製造することができる。同様に、前記拡散シート１４１でなく、前記プリズムシート１４２に前記色座標変換物質をコーティング、またはその内部に添加して製造することができる。
【００４４】
また、前記発光モジュール１１０は複数の発光ダイオード１１２を構成する少なくとも一種類のＬＥＤチップをマルチランクとして使用、または複数の発光ダイオード１１２がマルチランクから構成されることで、ＬＥＤチップ及び発光ダイオードの収率を高めることができる。
【００４５】
図４は第３実施例に係る表示装置を示す斜視図である。第３実施例の説明において、前記第１実施例と同様な部分には同一符号を付け、詳しい説明は省略する。
【００４６】
図４に示すように、表示装置１００Ｂは複数の発光モジュール１１０、１１０Ａを含む。前記複数の発光モジュール１１０、１１０Ａは前記導光板１３０の両側に相互対向するように配置される。
【００４７】
第１発光モジュール１１０は基板１１５及び発光ダイオード１１２を含み、前記導光板１３０の一側に配置される。第２発光モジュール１１０Ａは基板１１５Ａ及び発光ダイオード１１２Ａを含み、前記導光板１３０の他側に配置される。
【００４８】
前記色座標変換シート１４５は拡散シート１４１とプリズムシート１４２の間に配置され、複数の発光モジュール１１０、１１０Ａから放出される光の一部を吸収して異なる波長帯に励起された光として発光する。前記色座標変換シート１４５は第１発光モジュール１１０と第２発光モジュール１１０Ａから放出される光の色座標分布を目標色座標分布に変換させる。即ち、色座標変換シート１４５は図２のＡ１領域に分布するＢ１、C１、C２の色座標を目標座標、例えばＣＩＥｘ＝０.３１３、ＣＩＥｙ＝０.３２９に近接するように移動させることができる。
【００４９】
図５は第４実施例に係る表示装置を示す斜視図である。第４実施例の説明において、前記第１実施例と同様な部分には同一符号を付け、詳しい説明は省略する。
【００５０】
図５に示すように、表示装置１００Ｃは複数の発光モジュール１１０、１１０Ｂを含む。前記複数の発光モジュール１１０、１１０Ｂは前記導光板１３０の隣合う両側面に配置し、前記色座標変換シート１４５は拡散シート１４１とプリズムシート１４２の間に配置することができる。
【００５１】
第１発光モジュール１１０は前記導光板１３０の縦方向に配置することができる。第２発光モジュール１１０Ｂは複数の発光ダイオード１１２Ｂ及び基板１１５Ｂを含み、前記導光板１３０の横方向に配置することができる。前記導光板１３０の長さが横方向と縦方向が異なる場合、複数の発光モジュール１００、１００Ｂは導光板１３０の長軸方向と短縮方向にそれぞれ配置することができる。ここで、本発明は、いずれか１つの発光モジュール、いずれか１つのＬＥＤチップ、いずれか１つの発光ダイオードを組合せた光の色座標分布が目標色座標分布を外れる場合、色座標変換シート１４５によって非正常な色座標分布を目標色座標分布に移動させることができる。
【００５２】
図６は第５実施例に係る表示装置を示す斜視図である。第５実施例の説明において、前記第１実施例と同様な部分には同一符号を付け、詳しい説明は省略する。
【００５３】
図６に示すように、表示装置２００はボトムカバー２１０、発光モジュール２２０、光学シート２４０、色座標変換シート２４５、及び表示パネル２５０を含む。前記ボトムカバー２１０、前記発光モジュール２２０、前記光学シート２４０、前記色座標変換シート２４５はライトユニットとしての機能をする。
【００５４】
前記ボトムカバー２１０は収納溝２１１を含むことができ、その周壁は傾斜するように配置することができるが、これに限定されるものではない。前記発光モジュール２２０は前記ボトムカバー２１０内に少なくとも１列及び１行に配置することができるが、これに限定されるものではない。
【００５５】
前記発光モジュール２２０は発光ダイオード２２２及び基板２２５を含み、前記基板２２５の上には複数の発光ダイオード２２２を少なくとも１列に配置することができる。ここで、他の例として、前記発光ダイオード２２２が前記ボトムカバー２１０に搭載される場合、前記発光モジュール２２０の基板は除去することができる。前記発光モジュール２２０の基板２２５には前記発光ダイオード２２５をチップの形態またはパッケージの形態で搭載することができる。
【００５６】
前記発光モジュール２２０から放出される第１光の色座標分布は色座標変換シート２４５によって目標色座標分布に移動される。ここで、本発明は、いずれか１つの発光モジュール、いずれか１つのＬＥＤチップ、いずれか１つの発光ダイオードを組合せた光の色座標分布が目標色座標分布を外れる場合、色座標変換シート２４５によって非正常な色座標分布を目標色座標分布に移動させることができる。
【００５７】
図７は第６実施例に係る表示装置を示す斜視図である。第６実施例の説明において、前記に開示された実施例と同様な部分には同一符号を付け、詳しい説明は省略する。
【００５８】
図７に示すように、表示装置２００Ａはボトムカバー２１０、発光モジュール２２０、拡散シート２４１、プリズムシート２４２、色座標変換層２４５Ａ、及び表示パネル２５０を含む。
【００５９】
前記ボトムカバー２１０は収納溝２１１を含むことができ、その周壁は傾斜するように配置することができるが、これに限定されるものではない。前記発光モジュール２２０は前記ボトムカバー２１０内に少なくとも１列及び１行に配置することができるが、これに限定されるものではない。
【００６０】
前記発光モジュール２２０は発光ダイオード２２２及び基板２２５を含み、前記基板２２５の上に複数の発光ダイオード２２２が配置される。前記発光ダイオード２２２の周りには反射物質または反射シート２２７を配置することができる。
【００６１】
前記色座標変換層２４５Ａは蛍光物質が添加される透光性シートからなることができる。また、前記色座標変換層２４５Ａは拡散シート２４１の上面または前記プリズムシート２４２の下面にコーティングすることができる。
【００６２】
図８は第７実施例に係る表示装置を示す斜視図である。第７実施例の説明において、前記に開示された実施例と同様な部分には同一符号を付け、詳しい説明は省略する。
【００６３】
図８に示すように、表示装置２００Ｂはボトムカバー２１０、発光モジュール２２０、導光板２３０、光学シート２４０、色座標変換シート２４５、及び表示パネル２５０を含む。
【００６４】
前記導光板２３０は前記発光モジュール２２０から放出される光を面光源として照射する。前記光学シート２４０はプリズムシートからなることができる。
【００６５】
前記色座標変換シート２４５は前記導光板２３０から照射される光の色座標分布を目標色座標分布に移動させる。即ち、前記色座標変換シート２４５は複数の発光モジュール２２０から放出される第１光の一部を第２光として励起させ、前記第１光と第２光を放出して目標光の色座標分布に混色させる。よって、前記表示パネル２５０に入射される光の色座標分布は、前記発光モジュール２２０から放出される光の色座標分布が目標地点に移動する。
【００６６】
前記ボトムカバー２１０の内側には前記発光モジュール２２０、導光板２３０、光学シート２４０、色座標変換シート２４５が収納され、その周面は前記ボトムカバー２１０の底面に対して傾斜、垂直、多段に折曲した形態に形成することができる。
【００６７】
図９は図８の変形例である。図９に示すように、ボトムカバー２１０の周面は多段に折曲ることができる。ここで、前記ボトムカバー２１０の下部は底面に対して傾斜、及び上部は底面に対して垂直する形態に形成することができる。
【００６８】
図１０は第８実施例に係る表示装置を示す斜視図である。第８実施例の説明において、前記に開示された実施例と同様な部分には同一符号を付け、詳しい説明は省略する。
【００６９】
図１０に示すように、表示装置２００Ｃはボトムカバー２１０、発光モジュール２２０、色座標変換物質を含む拡散シート２４１Ａ、プリズムシート２４２、及び表示パネル２５０を含む。前記拡散シート２４１Ａは、色座標変換物質を上面または下面に層の形態でコーティングまたは内部に添加することができる。
【００７０】
前記に開示された実施例は、ライトユニットにおいて色座標分布が目標領域を外れる場合、前記色座標変換シートまたは層を用いて色座標分布を目標領域に移動させることができる。よって、前記発光モジュール２２０の発光ダイオード２２２は、色座標分布が外れる隣合うランク、即ちマルチランクのＬＥＤやランク外のＬＥＤを用いることができる。
【００７１】
図１１は実施例に係る色座標変換シート製造過程を示す概略図面である。図１１に示すように、透明樹脂材のシート原料１６１に特定蛍光染料が混合された溶剤１６２をコーティング装置１６３でコーティングし、ローラ１６５により移動させた後、乾燥装置１６４で乾燥させることで色座標変換シート１６１Ａを製造することができる。前記色座標変換シート１６１Ａの表面に前記溶剤１６２のコーティングは、例えば、ラミネーティング方式で行うことができる。
【００７２】
この場合、前記蛍光染料は黄色、赤色、青色、緑色など多様な色素を含む粉と特定粘度を有する樹脂（例えば、透明アクリル）をアルコールなどで所定割合で混合することで、所望の溶剤１６２を得ることができる。前記の蛍光染料は、入射光の色座標分布と目標光の色座標分布の差に対応する色の色素と分布量に調節することができる。
【００７３】
また、前記製造された溶剤１６２をシート原料と混合して、前記溶剤が内部に添加される実施例の色座標変換シートを製造することができる。前記拡散シートまたはプリズムシートの製造時にも前記の方法で蛍光物質を添加することができる。
【００７４】
本発明は、目標色座標を具現するために単一ランクの発光ダイオードではなく、マルチランクの発光ダイオード、即ち目標色度範囲を外れるＬＥＤチップを用いた発光ダイオードによって、前記目標色度範囲を外れる色座標分布を、色座標変換物質を含むシートにより目標色座標に移動させることができる。よって、ＬＥＤチップと発光ダイオードの収率を高めることができる。
【００７５】
本発明は、発光ダイオードの収率を高め、ライトユニットにおいて色座標分布を調節できる効果がある。また、本発明によれば、発光ダイオードのＬＥＤチップのランクの選択幅が広くなる
【００７６】
以上、本発明を実施例を中心に説明したが、これらの実施例は本発明を限定するものではない。本発明の精神と範囲を離脱することなく、多様な変形と応用が可能であることは、当業者によって明らかである。例えば、本発明の実施例に具体的に示された各構成要素は変形して実施することができるものであり、このような変形と応用に係る差異点は、添付の特許請求の範囲で規定する本発明の範囲に含まれるものと解釈されるべきである。
【符号の説明】
【００７７】
１００  表示装置
１０５  ボトムカバー
１１０  発光モジュール
１１２  発光ダイオード
１１５  基板
１２０  反射プレート
１３０  導光板
１４０  光学シート
１４５  色座標変換シート
１５０  表示パネル
１６１  シート原料
１６１Ａ  色座標変換シート
１６２  溶剤
１６３  コーティング装置
１６４  乾燥装置
１６５  ローラ
【図１】
2010192446.tif 000003
【図２】
2010192446.tif 000004
【図３】
2010192446.tif 000005
【図４】
2010192446.tif 000006
【図５】
2010192446.tif 000007
【図６】
2010192446.tif 000008
【図７】
2010192446.tif 000009
【図８】
2010192446.tif 000010
【図９】
2010192446.tif 000011
【図１０】
2010192446.tif 000012
【図１１】
2010192446.tif 000013